(57)【要約】【課題】帳票（第２の帳票）に対するラインマーカーによっての書き込み領域の手書きを不要とする。【解決手段】スキャナー部１０１により、ラインマーカーによって書き込まれた書き込み領域を有する（第１の帳票）と、（第１の帳票）と同一書式の（第２の帳票）とを読み取り、画像情報収集部１１８により、スキャナー部１０１が読み取った（第１の帳票）の画像の書き込み領域を元に、（第２の帳票）の書き込み領域に該当する領域の画像情報を収集する。また、画像情報収集部１１８は、（第２の帳票）の書き込み領域に該当する領域の画像情報を、書き込み領域を示すラインマーカーの色に応じて振り分ける。これにより、（第１の帳票）にラインマーカーによって書き込んだ書き込み領域を元に、全ての（第２の帳票）の書き込み領域に該当する領域の画像情報を収集できる。【選択図】図１
2019191725.tif 000002
【特許請求の範囲】
【請求項１】
ラインマーカーによって書き込まれた書き込み領域を有する第１の帳票と、前記第１の帳票と同一書式の第２の帳票とを読み取るスキャナー部と、
前記スキャナー部が読み取った前記第１の帳票の画像の書き込み領域を元に、前記第２の帳票の前記書き込み領域に該当する領域の画像情報を収集する画像情報収集部とを備え、
前記画像情報収集部は、前記第２の帳票の前記書き込み領域に該当する領域の画像情報を、前記書き込み領域を示す前記ラインマーカーの色に応じて振り分ける
ことを特徴とする画像形成装置。
【請求項２】
前記画像情報収集部は、
前記スキャナー部が読み取った前記第１の帳票の画像から前記書き込み領域の座標を検出する書き込み領域座標検出部と、
前記書き込み領域座標検出部が検出した座標に該当する前記書き込み領域を示す前記ラインマーカーの色を検出する書き込み領域色検出部と、
前記第２の帳票の画像から前記書き込み領域座標検出部が検出した前記書き込み領域の座標に基づき、前記書き込み領域に該当する領域の画像情報を切り取る書き込み領域切り取り部と、
前記書き込み領域切り取り部が切り取った画像情報を、前記ラインマーカーの色に応じて振り分ける書き込み領域色別振り分け部とを有する
ことを特徴とする請求項１に記載の画像形成装置。
【請求項３】
前記第１の帳票、及び前記第２の帳票には、位置補正用マーカーが付されており、
前記画像情報収集部は、
前記第１の帳票の前記位置補正用マーカー、及び前記第２の帳票の前記位置補正用マーカーを検出する位置補正用マーカー検出部と、
前記位置補正用マーカー検出部が検出した前記位置補正用マーカーに基づき、前記第１の帳票の画像、及び前記第２の帳票の画像の位置を補正する
ことを特徴とする請求項２に記載の画像形成装置。
【請求項４】
画像形成装置を制御するコンピューターに実行させる画像形成プログラムであって、
スキャナー部により、ラインマーカーによって書き込まれた書き込み領域を有する第１の帳票と、前記第１の帳票と同一書式の第２の帳票とを読み取る工程と、
画像情報収集部により、前記スキャナー部が読み取った前記第１の帳票の画像の書き込み領域を元に、前記第２の帳票の前記書き込み領域に該当する領域の画像情報を収集する工程とを有し、
前記画像情報収集部は、前記第２の帳票の前記書き込み領域に該当する領域の画像情報を、前記書き込み領域を示す前記ラインマーカーの色に応じて振り分ける
ことを特徴とする画像形成プログラム。
【発明の詳細な説明】
【技術分野】
【０００１】
本発明は、帳票の情報収集に適した画像形成装置及び画像形成プログラムに関する。
【背景技術】
【０００２】
一般に、帳簿や伝票である帳票は、紙で管理されることが多い。帳票が紙で管理されている場合、帳票の集計等の処理作業は、担当者による処理に頼ることが多く、処理作業が煩雑である。
【０００３】
このような不具合を解消する場合、特許文献１で提案されている画像処理装置でのリスト化の方法を適用することが考えられる。すなわち、この画像処理装置は、印刷物に手書きによる書き込みがなされた書き込み原稿の画像データから手書き部分を分離し、分離された手書き部分が、囲み線と分類記号のどちらであるかを判定する。また、囲み線と判定された手書き部分により囲まれる画像部分を抽出して抽出画像を取得する。また、分類記号を、それと最も近い位置に書き込まれた囲み線と対応付け、抽出画像を、同じグループに属する分類記号のいずれかと対応付けられている囲み線が取り囲んでいた領域の画像部分同士でグループ化する。そして、抽出画像を、グループ毎にまとめた一覧データを作成する。
【先行技術文献】
【特許文献】
【０００４】
【特許文献１】特開２０１２−１５１７２２号公報
【発明の概要】
【発明が解決しようとする課題】
【０００５】
上述した特許文献１の画像処理装置では、囲み線と判定された手書き部分により囲まれていた対象領域を含む抽出対象領域内の画像部分を抽出するので、印刷物から特定の部分だけを抽出して分類し、リスト化できる。
【０００６】
ところが、この画像処理装置での画像の抽出方法では、印刷物から特定の部分だけを抜粋してリスト化できるものの、上述した大量の帳票の集計等の処理等に適用しようとすると、全ての帳票に対して囲み線を手書きする必要がある、という問題がある。
【０００７】
本発明は、このような状況に鑑みてなされたものであり、上記問題点を解消することができる画像形成装置及び画像形成プログラムを提供することを目的とする。
【課題を解決するための手段】
【０００８】
本発明の画像形成装置は、ラインマーカーによって書き込まれた書き込み領域を有する第１の帳票と、前記第１の帳票と同一書式の第２の帳票とを読み取るスキャナー部と、前記スキャナー部が読み取った前記第１の帳票の画像の書き込み領域を元に、前記第２の帳票の前記書き込み領域に該当する領域の画像情報を収集する画像情報収集部とを備え、前記画像情報収集部は、前記第２の帳票の前記書き込み領域に該当する領域の画像情報を、前記書き込み領域を示す前記ラインマーカーの色に応じて振り分けることを特徴とする。
また、前記画像情報収集部は、前記スキャナー部が読み取った前記第１の帳票の画像から前記書き込み領域の座標を検出する書き込み領域座標検出部と、前記書き込み領域座標検出部が検出した座標に該当する前記書き込み領域を示す前記ラインマーカーの色を検出する書き込み領域色検出部と、前記第２の帳票の画像から前記書き込み領域座標検出部が検出した前記書き込み領域の座標に基づき、前記書き込み領域に該当する領域の画像情報を切り取る書き込み領域切り取り部と、前記書き込み領域切り取り部が切り取った画像情報を、前記ラインマーカーの色に応じて振り分ける書き込み領域色別振り分け部とを有することを特徴とする。
また、前記第１の帳票、及び前記第２の帳票には、位置補正用マーカーが付されており、前記画像情報収集部は、前記第１の帳票の前記位置補正用マーカー、及び前記第２の帳票の前記位置補正用マーカーを検出する位置補正用マーカー検出部と、前記位置補正用マーカー検出部が検出した前記位置補正用マーカーに基づき、前記第１の帳票の画像、及び前記第２の帳票の画像の位置を補正することを特徴とする。
本発明の画像形成プログラムは、画像形成装置を制御するコンピューターに実行させる画像形成プログラムであって、スキャナー部により、ラインマーカーによって書き込まれた書き込み領域を有する第１の帳票と、前記第１の帳票と同一書式の第２の帳票とを読み取る工程と、画像情報収集部により、前記スキャナー部が読み取った前記第１の帳票の画像の書き込み領域を元に、前記第２の帳票の前記書き込み領域に該当する領域の画像情報を収集する工程とを有し、前記画像情報収集部は、前記第２の帳票の前記書き込み領域に該当する領域の画像情報を、前記書き込み領域を示す前記ラインマーカーの色に応じて振り分けることを特徴とする。
本発明の画像形成装置及び画像形成プログラムでは、スキャナー部により、ラインマーカーによって書き込まれた書き込み領域を有する第１の帳票と、第１の帳票と同一書式の第２の帳票とを読み取り、画像情報収集部により、スキャナー部が読み取った第１の帳票の画像の書き込み領域を元に、第２の帳票の前記書き込み領域に該当する領域の画像情報を収集する。また、画像情報収集部は、第２の帳票の書き込み領域に該当する領域の画像情報を、書き込み領域を示すラインマーカーの色に応じて振り分ける。
これにより、第１の帳票にラインマーカーによって書き込んだ書き込み領域を元に、全ての第２の帳票の書き込み領域に該当する領域の画像情報を収集できる。
【発明の効果】
【０００９】
本発明の画像形成装置及び画像形成プログラムによれば、第１の帳票にラインマーカーによって書き込んだ書き込み領域を元に、全ての第２の帳票の書き込み領域に該当する領域の画像情報を収集できるので、第２の帳票に対するラインマーカーによっての書き込み領域の手書きを不要とすることができる。
【図面の簡単な説明】
【００１０】
【図１】本発明の画像形成装置をＭＦＰに適用した場合の一実施形態を説明するための図である。
【図２】図１の画像情報収集部の構成の一例について説明するための図である。
【図３】図１のＭＦＰによって読み取られる帳票の一例を示すものであり、図３（ａ）はラインマーカーによって切り取り領域を指定した帳票の一例を示す図であり、図３（ｂ）は図３（ａ）の帳票と同じ書式（フォーマット）の帳票であって、読み取られた後に図３（ａ）で指定された領域が切り取られる場合の帳票の一例を示す図である。
【図４】図１のＭＦＰでの画像情報収集処理について説明するためのフローチャートである。
【発明を実施するための形態】
【００１１】
以下、本発明の画像形成装置の一実施形態を、図１〜図４を参照しながら説明する。なお、以下に説明する画像形成装置は、たとえば印刷機能、コピー機能、ＦＡＸ機能、ネットワーク経由でのデータ送受信機能等の標準搭載機能が組み込まれた複合的な周辺機器であるＭＦＰ(Multifunction Peripheral)であるものとする。
【００１２】
まず、図１に示すように、ＭＦＰ１００は、スキャナー部１０１、プリンター部１０２、ＦＡＸ(Facsimile)部１０３、Ｉ／Ｆ（インターフェース）１０４、パネル部１０５及びＨＤＤ(Hard Disk Drive)１０６の動作を制御する制御部１１０を備えている。
【００１３】
スキャナー部１０１は、イメージセンサ（図示省略）によって読み取られる図示しない原稿の画像をデジタルの画像データに変換し、制御部１１０に入力するデバイスである。プリンター部１０２は、制御部１１０から出力される印刷データに基づき、図示しない用紙上に画像を印刷するデバイスである。ＦＡＸ部１０３は、制御部１１０から出力されるデータを、電話回線を通じ相手方となるファクシミリへと送信し、また、相手方ファクシミリからのデータを受信して制御部１１０に入力するデバイスである。
【００１４】
Ｉ／Ｆ１０４は、図示しないネットワークを介し、他のＭＦＰ１００やユーザー端末等に接続されている。なお、Ｉ／Ｆ１０４は、図示しないコンテンツサーバーやウェブサーバー等との通信を受け持ってもよい。パネル部１０５は、ＭＦＰ１００の印刷機能、コピー機能、ＦＡＸ機能、ネットワーク経由でのデータ送受信機能や、各種設定のための表示を行うタッチパネル等のデバイスである。ＨＤＤ１０６は、ＭＦＰ１００の種々の機能を提供するためのアプリケーションプログラム等を記憶している記憶デバイスである。また、ＨＤＤ１０６は、たとえばユーザー端末側から登録された印刷ジョブ及びページ記述言語による印刷対応データ等の画像データを記憶するユーザーボックスを有している。また、ＨＤＤ１０６は、ユーザーによって設定された設定値データ、各ユーザーのユーザー登録データ等も記憶している。
【００１５】
制御部１１０は、認証プログラム等のアプリケーションプログラム、画像形成プログラム、及び制御プログラム等を実行してＭＦＰ１００全体の動作を制御するプロセッサーである。制御部１１０は、スキャナー制御部１１１、プリンター制御部１１２、ＦＡＸ制御部１１３、通信制御部１１４、ＲＡＭ(Random Access Memory)１１５、ＥＥＰＲＯＭ（Electrically Erasable Programmable Read-Only Memory)１１６、画像処理部１１７、画像情報収集部１１８、パネル操作制御部１１９、ＨＤＤ制御部１２０、システム制御部１２１を備えている。また、これらは、データバス１２２に接続されている。
【００１６】
スキャナー制御部１１１は、スキャナー部１０１の読み取り動作を制御する。プリンター制御部１１２は、プリンター部１０２の印刷動作を制御する。ＦＡＸ制御部１１３は、ＦＡＸ部１０３によるデータの送受信動作を制御する。通信制御部１１４は、Ｉ／Ｆ１０４を介し、ネットワーク経由でのデータ等の送受信の制御を行う。
【００１７】
ＲＡＭ１１５は、プログラムを実行するためのワークメモリーである。また、ＲＡＭ１１５は、画像処理部１１７によって画像処理された印刷データを記憶する。ＥＥＰＲＯＭ１１６には、各部の動作チェック等を行う制御プログラムが記憶されている。また、ＥＥＰＲＯＭ１１６には、スキャナー部１０１、プリンター部１０２、ＦＡＸ部１０３、Ｉ／Ｆ（インターフェース）１０４、パネル部１０５及びＨＤＤ１０６等を動作させるためのバージョンデータを含むファームウェアが記憶されている。
【００１８】
画像処理部１１７は、スキャナー部１０１によって読み取られた画像データに対する画像処理（ラスタライズ）を行う。また、画像処理部１１７は、ＨＤＤ１０６のユーザーボックスに登録された印刷対象データに対する画像処理（ラスタライズ）を行う。なお、システム制御部１２１は、画像処理部１１７が画像処理した印刷データを、一旦、ＲＡＭ１１５に記憶させる。
【００１９】
画像情報収集部１１８は、詳細については後述するが、蛍光ペン等のラインマーカーによって指定された領域を切り取り、ラインマーカーの色に応じて振り分ける。パネル操作制御部１１９は、パネル部１０５の表示動作を制御する。また、パネル操作制御部１１９は、パネル部１０５を介し、印刷、コピー、ＦＡＸ、ネットワーク経由でのデータ送受信等の開始や、ＭＦＰ１００Ａ、１００Ｂの動作モード等の設定を変更したり登録したりする際のセットアップ開始の指示等を受け付ける。
【００２０】
システム制御部１２１は、各部の連携動作等を制御する。また、システム制御部１２１は、パネル部１０５を介してコピーや印刷等が選択されると、スキャナー制御部１１１やプリンター制御部１１２を介し、スキャナー部１０１による原稿の読み取りやプリンター部１０２による用紙への印刷を制御する。また、システム制御部１２１は、パネル操作制御部１１９がパネル部１０５を介して後述の図３（ａ）、（ｂ）に示す帳票２００の画像情報収集処理の指示を受け付けると、画像情報収集部１１８に対して画像情報収集を指示する。
【００２１】
次に、図２を参照し、画像情報収集部１１８の構成の一例について説明する。画像情報収集部１１８は、位置補正用マーカー検出部１１８ａ、画像補正部１１８ｂ、書き込み領域座標検出部１１８ｃ、書き込み領域座標保持部１１８ｄ、書き込み領域色検出部１１８ｅ、書き込み領域色保持部１１８ｆ、書き込み領域切り取り部１１８ｇ、書き込み領域色別振り分け部１１８ｈを有している。
【００２２】
位置補正用マーカー検出部１１８ａは、スキャナー部１０１が読み取った後述の図３（ａ）、（ｂ）に示す帳票２００に付されている位置補正用マーカー２０１を検出する。画像補正部１１８ｂは、位置補正用マーカー検出部１１８ａが検出した位置補正用マーカー２０１に基づき、スキャナー部１０１が読み取った帳票２００の画像の位置を補正する。これにより、スキャナー部１０１によって読み取られる帳票２００が複数であっても、それぞれの読み取られた画像の位置が揃えられる。書き込み領域座標検出部１１８ｃは、後述の図３（ａ）に示すスキャナー部１０１が読み取った帳票２００の画像から蛍光ペン等のラインマーカーによって書き込まれた書き込み領域２２０、２２１の座標を検出する。なお、書き込み領域２２０、２２１の座標は、位置補正用マーカー２０１の座標を基準として求めることができる。書き込み領域座標保持部１１８ｄは、書き込み領域座標検出部１１８ｃが検出した書き込み領域２２０、２２１の座標を保持する。
【００２３】
書き込み領域色検出部１１８ｅは、書き込み領域座標検出部１１８ｃが検出した書き込み領域２２０、２２１を示すラインマーカーの色を検出する。書き込み領域色保持部１１８ｆは、書き込み領域色検出部１１８ｅが検出したラインマーカーの色を保持する。書き込み領域切り取り部１１８ｇは、次に読み取られた帳票２００に対し、書き込み領域座標保持部１１８ｄが保持している書き込み領域２２０、２２１の座標に基づき、書き込み領域２２０、２２１を切り取る。書き込み領域色別振り分け部１１８ｈは、書き込み領域切り取り部１１８ｇが切り取ったそれぞれの書き込み領域２２０、２２１の画像を、書き込み領域色保持部１１８ｆが保持しているラインマーカーの色に基づき振り分ける。
【００２４】
次に、図３を参照し、スキャナー部１０１によって読み取られる帳票２００について説明する。まず、図３（ａ）は蛍光ペン等のラインマーカーによる手書きによっての切り取り領域を指定している帳票２００の一例を示している。帳票２００としては、たとえば表題２１０に示す見積明細書を例示している。なお、帳票２００としては、見積明細書に限らず、帳簿、仕訳帳、総勘定元帳、現金出納帳、預金出納帳、買掛帳（仕入先元帳）、売掛帳（得意先元帳）、経費帳、入出金伝票、請求書、納品書、領収書等であってもよい。
【００２５】
帳票２００には、右上に位置補正用マーカー２０１が付されている。この位置補正用マーカー２０１は、上述したように、スキャナー部１０１によって読み取られた帳票２００の画像のズレを補正する際の基準として用いられる。また、帳票２００には、たとえば補修部品Ａ〜Ｅで示す品名等を書き込む複数の項目２１１〜２１５と、集計欄２１６とが設けられている。また、複数の項目２１１〜２１５には、該当事項が印刷文字で書き込まれている。また、項目２１１、２１３には、蛍光ペン等のラインマーカーによって領域２２０、２２１が書き込まれている。以下、これらの領域２２０、２２１を書き込み領域２２０、２２１という。なお、書き込み領域２２０、２２１のラインマーカーの色は、それぞれ異なるものである。たとえば書き込み領域２２０の色を赤とし、書き込み領域２２１の色を緑とすることで、それぞれの書き込み領域２２０、２２１を識別できる。
【００２６】
図３（ｂ）は、図３（ａ）の帳票２００と同じ書式（フォーマット）の帳票２００を示している。ただし、図３（ｂ）の帳票は、それぞれの項目２１１〜２１５に書き込まれる該当事項の内容が異なる。図３（ｂ）の帳票は、図３（ａ）の帳票２００に続いてスキャナー部１０１により読み取られるとともに、図３（ａ）の帳票２００の書き込み領域２２０、２２１と同じ箇所が書き込み領域切り取り部１１８ｇによって切り取られた後、書き込み領域色別振り分け部１１８ｈによって振り分けられる。
【００２７】
次に、図４を参照し、ＭＦＰ１００での画像情報収集処理について説明する。なお、以下においては、図３（ａ）で説明したように、帳票２００の項目２１１、２１３に、蛍光ペン等のラインマーカーによって書き込み領域２２０、２２１が書き込まれているものとする。また、以下においては、図３（ａ）の帳票２００がスキャナー部１０１によって最初に読み取られ、続いて図３（ｂ）の複数の帳票２００が連続して読み取られるものとする。また、以下においては、システム制御部１２１により、スキャナー制御部１１１に対してスキャナー部１０１による帳票２００の読み取りが指示されているものとする。また、以下において、最初に読み取られる図３（ａ）の帳票２００は、次に読み取られる図３（ｂ）の１枚目の帳票２００のコピーであるものとして説明する。この場合、最初に読み取られる図３（ａ）の帳票２００の書き込み領域２２０、２２１の画像情報については、書き込み領域色別振り分け部１１８ｈによる振り分けが行われないものとして説明する。
【００２８】
（ステップＳ１０１）
画像情報収集部１１８は、１枚目の帳票２００の読み取りが完了したかどうかを確認する。
この場合、画像情報収集部１１８は、システム制御部１２１からの１枚目の帳票２００の読み取りが完了したことを示す通知が無ければ１枚目の帳票２００の読み取りが完了していないことを確認する（ステップＳ１０１：Ｎｏ）。
これに対し、画像情報収集部１１８は、システム制御部１２１からの１枚目の帳票２００の読み取りが完了したことを示す通知が有れば１枚目の帳票２００の読み取りが完了したことを確認し（ステップＳ１０１：Ｙｅｓ）、ステップＳ１０２に移行する。
【００２９】
（ステップＳ１０２）
画像情報収集部１１８の位置補正用マーカー検出部１１８ａは、位置補正用マーカー２０１を検出する。
この場合、位置補正用マーカー検出部１１８ａは、スキャナー部１０１が読み取った１枚目の帳票２００の画像から位置補正用マーカー２０１を検出する。
【００３０】
（ステップＳ１０３）
画像情報収集部１１８は、画像の位置がずれているかどうかを確認し、ずれている場合（ステップＳ１０３：Ｙｅｓ）、ステップＳ１０４に移行し、ずれていない場合（ステップＳ１０３：Ｎｏ）、ステップＳ１０５に移行する。
【００３１】
（ステップＳ１０４）
画像情報収集部１１８の画像補正部１１８ｂは、位置補正用マーカー２０１に基づき、スキャナー部１０１が読み取った１枚目の帳票２００の画像の位置を補正する。
【００３２】
（ステップＳ１０５）
画像情報収集部１１８は、スキャナー部１０１が読み取った１枚目の帳票２００の画像から書き込み領域２２０、２２１が有るかどうかを確認する。
この場合、画像情報収集部１１８は、１枚目の帳票２００の画像から蛍光ペン等のラインマーカーによる手書きの書き込み領域２２０、２２１が有るかどうかを確認する。
ここで、画像情報収集部１１８は、手書きの書き込み領域２２０、２２１を確認できなければ（ステップＳ１０５：Ｎｏ）、書き込み領域２２０、２２１が無いことをシステム制御部１２１に通知する。
この場合、システム制御部１２１は、処理を終了する。
一方、画像情報収集部１１８は、手書きの書き込み領域２２０、２２１を確認できると（ステップＳ１０５：Ｙｅｓ）、ステップＳ１０６に移行する。
【００３３】
（ステップＳ１０６）
画像情報収集部１１８の書き込み領域座標検出部１１８ｃは、スキャナー部１０１が読み取った１枚目の帳票２００の画像から位置補正用マーカー２０１の位置を基準とし、書き込み領域２２０、２２１の座標を検出する。
【００３４】
（ステップＳ１０７）
画像情報収集部１１８の書き込み領域座標保持部１１８ｄは、書き込み領域座標検出部１１８ｃが検出した書き込み領域２２０、２２１の座標を保持する。
【００３５】
（ステップＳ１０８）
画像情報収集部１１８の書き込み領域色検出部１１８ｅは、スキャナー部１０１が読み取った１枚目の帳票２００の画像から書き込み領域２２０、２２１を示すラインマーカーの色を検出する。
【００３６】
（ステップＳ１０９）
画像情報収集部１１８の書き込み領域色保持部１１８ｆは、書き込み領域色検出部１１８ｅが検出したラインマーカーの色を、書き込み領域座標検出部１１８ｃが検出した書き込み領域２２０、２２１の座標に関連づけて保持する。
【００３７】
（ステップＳ１１０）
画像情報収集部１１８は、次の帳票２００が有るかどうかを確認する。
この場合、画像情報収集部１１８は、システム制御部１２１からのスキャナー部１０１によって読み取られる次の帳票２００が無いことを示す通知が有ると、次の帳票２００が無いことを確認し（ステップＳ１１０：Ｎｏ）、システム制御部１２１に確認したことを通知する。
この場合、システム制御部１２１は、処理を終了する。
これに対し、画像情報収集部１１８は、システム制御部１２１からのスキャナー部１０１によって読み取られる次の帳票２００が有ることを示す通知が有ると、次の帳票２００が有ることを確認し（ステップＳ１１０：Ｙｅｓ）、ステップＳ１１１に移行する。
【００３８】
（ステップＳ１１１）
画像情報収集部１１８は、次の帳票２００の読み取りが完了したかどうかを確認する。
この場合、画像情報収集部１１８は、システム制御部１２１からの次の帳票２００の読み取りが完了したことを示す通知が無ければ次の帳票２００の読み取りが完了していないことを確認する（ステップＳ１１１：Ｎｏ）。
これに対し、画像情報収集部１１８は、システム制御部１２１からの次の帳票２００の読み取りが完了したことを示す通知が有れば次の帳票２００の読み取りが完了したことを確認し（ステップＳ１１１：Ｙｅｓ）、ステップＳ１１２に移行する。
【００３９】
（ステップＳ１１２）
画像情報収集部１１８の位置補正用マーカー検出部１１８ａは、位置補正用マーカー２０１を検出する。
この場合、位置補正用マーカー検出部１１８ａは、スキャナー部１０１が読み取った次の帳票２００の画像から位置補正用マーカー２０１を検出する。
【００４０】
（ステップＳ１１３）
画像情報収集部１１８は、画像の位置がずれているかどうかを確認し、ずれている場合（ステップＳ１１３：Ｙｅｓ）、ステップＳ１１４に移行し、ずれていない場合（ステップＳ１１３：Ｎｏ）、ステップＳ１１５に移行する。
【００４１】
（ステップＳ１１４）
画像情報収集部１１８の画像補正部１１８ｂは、位置補正用マーカー２０１に基づき、スキャナー部１０１が読み取った次の帳票２００の画像の位置を補正する。
【００４２】
（ステップＳ１１５）
画像情報収集部１１８の書き込み領域切り取り部１１８ｇは、書き込み領域座標保持部１１８ｄが保持している書き込み領域２２０、２２１の座標に基づき、書き込み領域２２０、２２１と同じ箇所である領域を切り取る。
【００４３】
（ステップＳ１１６）
画像情報収集部１１８の書き込み領域色別振り分け部１１８ｈは、書き込み領域色保持部１１８ｆが保持しているラインマーカーの色に応じて書き込み領域切り取り部１１８ｇが切り取った書き込み領域２２０、２２１に該当する項目２１１、２１３の領域の画像を振り分ける。
ここで、たとえば書き込み領域２２０のラインマーカーの色が赤である場合、書き込み領域２２０に該当する項目２１１の領域の画像を、ラインマーカーの色の赤に対応するように振り分ける。
また、たとえば書き込み領域２２１のラインマーカーの色が緑である場合、書き込み領域２２１に該当する項目２１３の領域の画像を、ラインマーカーの色の緑に対応するように振り分ける。
【００４４】
なお、最初に読み取られる図３（ａ）の１枚目の帳票２００の書き込み領域２２０、２２１の画像情報については、次に読み取られる図３（ｂ）の１枚目の帳票２００のコピーであるものとし、書き込み領域色別振り分け部１１８ｈによる振り分けが行われないものとしたが、１枚目の帳票２００の書き込み領域２２０、２２１の画像情報を書き込み領域色別振り分け部１１８ｈによる振り分け対象としてもよい。この場合、最初に読み取られる図３（ａ）の１枚目の帳票２００の書き込み領域２２０、２２１の画像情報については、次に読み取られる図３（ｂ）の帳票２００とは別のものであるとする。また、画像情報収集部１１８がたとえばステップＳ１０５で書き込み領域２２０、２２１の有ることを確認すると、ステップＳ１１５で書き込み領域切り取り部１１８ｇが書き込み領域２２０、２２１を切り取り、ステップＳ１１６で書き込み領域色別振り分け部１１８ｈがラインマーカーの色に応じて書き込み領域切り取り部１１８ｇが切り取った書き込み領域２２０、２２１の画像情報を振り分ける。
【００４５】
また、図３（ａ）の帳票２００、及び図３（ｂ）の帳票２００のそれぞれの項目２１１〜２１５の該当事項が印刷文字で書き込まれているとしているが、それぞれの項目２１１〜２１５の該当事項は手書きであってもよい。この場合、それぞれの項目２１１〜２１５の手書きの該当事項の画像情報を、たとえば図示しないＯＣＲ（Optical Character Reader）に出力することで、それぞれの該当事項の画像情報をデータとして取得できる。
【００４６】
このように、本実施形態では、スキャナー部１０１により、ラインマーカーによって書き込まれた書き込み領域２２０、２２１を有する帳票２００（第１の帳票）と、帳票２００（第１の帳票）と同一書式の帳票２００（第２の帳票）とを読み取り、画像情報収集部１１８により、スキャナー部１０１が読み取った帳票２００（第１の帳票）の画像の書き込み領域２２０、２２１を元に、帳票２００（第２の帳票）の書き込み領域２２０、２２１に該当する領域の画像情報を収集する。また、画像情報収集部１１８は、帳票２００（第２の帳票）の書き込み領域２２０、２２１に該当する領域の画像情報を、書き込み領域２２０、２２１を示すラインマーカーの色に応じて振り分ける。
【００４７】
これにより、帳票２００（第１の帳票）にラインマーカーによって書き込んだ書き込み領域２２０、２２１を元に、全ての帳票２００（第２の帳票）の書き込み領域２２０、２２１に該当する領域の画像情報を収集できるので、帳票２００（第２の帳票）に対するラインマーカーによっての書き込み領域の手書きを不要とすることができる。
【００４８】
また、帳票２００（第１の帳票）に対しラインマーカーによって書き込み領域２２０、２２１を書き込むので、書き込み領域２２０、２２１の指定を直感的に行うことができる。
【符号の説明】
【００４９】
１００  ＭＦＰ
１０１  スキャナー部
１０２  プリンター部
１０３  ＦＡＸ部
１０４  Ｉ／Ｆ
１０５  パネル部
１０６  ＨＤＤ
１１０  制御部
１１１  スキャナー制御部
１１２  プリンター制御部
１１３  ＦＡＸ制御部
１１４  通信制御部
１１５  ＲＡＭ
１１６  ＥＥＰＲＯＭ
１１７  画像処理部
１１８  画像情報収集部
１１８ａ  位置補正用マーカー検出部
１１８ｂ  画像補正部
１１８ｃ  書き込み領域座標検出部
１１８ｄ  書き込み領域座標保持部
１１８ｅ  書き込み領域色検出部
１１８ｆ  書き込み領域色保持部
１１８ｇ  書き込み領域切り取り部
１１８ｈ  書き込み領域色別振り分け部
１１９  パネル操作制御部
１２０  ＨＤＤ制御部
１２１  システム制御部
１２２  データバス
２００  帳票
２０１  位置補正用マーカー
２１０  表題
２１１〜２１５  項目
２１６  集計欄
２２０、２２１  書き込み領域
【図１】
2019191725.tif 000003
【図２】
2019191725.tif 000004
【図３】
2019191725.tif 000005
【図４】
2019191725.tif 000006